(57)【要約】【課題】インラインで後処理可能な後処理装置において、上下流の装置に影響を及ぼすことなく、後処理を行うことが可能な後処理装置を提供する。【解決手段】搬送される用紙に後処理を行う後処理ユニット（後処理モジュールＭ１〜Ｍ４）と、後処理ユニットの上流又は下流に配置され、用紙を収容可能なスペース経路（反転排紙経路２１３、兼用経路２１４及び長尺ユニット２１５）と、を備える。また、後処理ユニットは、用紙の一部がスペース経路内に収容された状態で、後処理を行う。【選択図】図１
2020071385.tif 000002
【特許請求の範囲】
【請求項１】
画像形成装置本体又は他の後処理装置に接続される後処理装置において、
搬送される用紙に後処理を行う後処理ユニットと、
前記後処理ユニットの上流又は下流に配置され、前記用紙を収容可能なスペース経路と、
を備え、
前記後処理ユニットは、前記用紙の一部が前記スペース経路内に収容された状態で、前記後処理を行うことを特徴とする後処理装置。
【請求項２】
前記後処理ユニットは、スリッター処理、ドブスリッター処理、ＣＤ断裁処理、クリース処理、ＦＤ／ＣＤミシン処理のいずれかの後処理を行うことを特徴とする請求項１に記載の後処理装置。
【請求項３】
前記スペース経路は、前記用紙を反転するための反転経路で構成されていることを特徴とする請求項１又は２に記載の後処理装置。
【請求項４】
前記反転経路は、前記用紙をパージするためのパージ経路を兼ねることを特徴とする請求項３に記載の後処理装置。
【請求項５】
前記反転経路は、
定型サイズまでの前記用紙を反転するための定型反転経路と、
前記定型サイズを超える長尺サイズの前記用紙を反転するための長尺反転経路と、
を備えることを特徴とする請求項３又は４に記載の後処理装置。
【請求項６】
前記反転経路は、経路内に屈曲経路を有する場合、前記後処理ユニットと前記屈曲経路との間に直線経路が配置されることを特徴とする請求項３〜５のいずれか一項に記載の後処理装置。
【請求項７】
前記直線経路には、前記用紙の上下動を規制する押さえ部材が配置されることを特徴とする請求項６に記載の後処理装置。
【請求項８】
前記反転経路を介して前記用紙のページ合わせを行う制御部を備えることを特徴とする請求項３〜７のいずれか一項に記載の後処理装置。
【請求項９】
前記スペース経路は、前記用紙をパージするためのパージ経路で構成されていることを特徴とする請求項１〜８のいずれか一項に記載の後処理装置。
【請求項１０】
前記スペース経路は、前記用紙を迂回するための迂回経路で構成されていることを特徴とする請求項１〜９のいずれか一項に記載の後処理装置。
【請求項１１】
前記スペース経路は、前記後処理ユニットが装置本体内の上流側にある場合、前記後処理ユニットよりも上流側に配置されることを特徴とする請求項１〜１０のいずれか一項に記載の後処理装置。
【請求項１２】
前記スペース経路は、前記後処理ユニットが装置本体内の下流側にある場合、前記後処理ユニットよりも下流側に配置されることを特徴とする請求項１〜１１のいずれか一項に記載の後処理装置。
【請求項１３】
前記後処理ユニットは、ＣＤ断裁ユニットを含み、
前記ＣＤ断裁ユニットにより前記用紙が前記ＣＤ断裁ユニットの下流側に配置された搬送ローラー間の長さよりも短いＦＤ長に断裁される場合に、排紙先を専用トレイに切り替える切替部を備えることを特徴とする請求項１〜１２のいずれか一項に記載の後処理装置。
【請求項１４】
用紙に画像を形成する画像形成部と、
前記画像形成部により前記画像が形成された用紙に後処理を行う請求項１〜１３のいずれか一項に記載の後処理装置と、
を備えることを特徴とする画像形成装置。
【発明の詳細な説明】
【技術分野】
【０００１】
本発明は、後処理装置及び当該後処理装置を備える画像形成装置に関する。
【背景技術】
【０００２】
従来、画像形成装置本体により画像が形成された用紙に対して様々な後処理を行う後処理装置が知られている。例えば、オフラインで１枚の用紙に後処理を行うことが可能な後処理装置が知られている。
【０００３】
上記のオフラインの後処理装置において行われる後処理がＣＤ断裁の場合、用紙のＦＤ長（搬送方向の長さ）がカットされて短くなるため、以降の搬送ローラーの配置を密にする必要があることから、ＣＤ断裁を行うＣＤ断裁ユニットを最下流に配置するようにしている。ＣＤ断裁ユニットＵ１が最下流に配置された後処理装置２０１の場合、図８に示すように、用紙Ｐ後端をカットする際に、用紙Ｐの本身部分が機外に出た状態でＣＤ断裁が行われる。このように、オフラインの後処理装置の場合、後処理を行う際に、機外に用紙の先端又は後端の一部が出た状態で行われる。
【０００４】
また、他の後処理装置として、用紙へのパンチ加工を施す際に、パンチ処理機の種類及び反転装置の有無に応じて用紙の画像形成を制御することで、所望の位置にパンチ処理を施し、かつ、積載時にページ順となるように用紙を排紙する後処理装置が知られている（例えば、特許文献１参照）。
【先行技術文献】
【特許文献】
【０００５】
【特許文献１】特開２０１０−１８８６０７号公報
【発明の概要】
【発明が解決しようとする課題】
【０００６】
しかしながら、インラインの後処理装置２０２の場合、前後に他の装置（例えば画像形成装置本体１０１やリレーユニットＲＵ、フィニッシャーＦＳ等）が配置されるため、図９に示すように、上下流の他の装置（図中では下流のフィニッシャーＦＳ）に用紙Ｐが跨ることとなり、後処理ユニット（例えばＣＤ断裁ユニットＵ１）により実施される後処理に応じて上下流の装置との速度合わせや用紙の停止などの制御が必要となる。また、前後に様々な後処理装置（例えば、ＬＳ（ラージスタッカー）、ＳＤ（中綴じ機）、ＦＳ（フィニッシャー）等）が接続されるため、更に各後処理装置側での制御対応が膨大かつ困難となる。
また、特許文献１記載の技術は、画像形成以降の装置構成に応じて画像形成を制御することはできるものの、ＣＤ断裁のように、用紙の本身部分が機外に出た状態で後処理が行われる場合には、やはり上下流の他の装置に用紙が跨ることとなるため、上下流の装置と制御を連動させる必要がある。
【０００７】
本発明は、インラインで後処理可能な後処理装置において、上下流の装置に影響を及ぼすことなく、後処理を行うことが可能な後処理装置を提供することを目的とする。
【課題を解決するための手段】
【０００８】
請求項１に記載の発明は、上記目的を達成するためになされたものであり、
画像形成装置本体又は他の後処理装置に接続される後処理装置において、
搬送される用紙に後処理を行う後処理ユニットと、
前記後処理ユニットの上流又は下流に配置され、前記用紙を収容可能なスペース経路と、
を備え、
前記後処理ユニットは、前記用紙の一部が前記スペース経路内に収容された状態で、前記後処理を行うことを特徴とする。
【０００９】
請求項２に記載の発明は、請求項１に記載の後処理装置において、
前記後処理ユニットは、スリッター処理、ドブスリッター処理、ＣＤ断裁処理、クリース処理、ＦＤ／ＣＤミシン処理のいずれかの後処理を行うことを特徴とする。
【００１０】
請求項３に記載の発明は、請求項１又は２に記載の後処理装置において、
前記スペース経路は、前記用紙を反転するための反転経路で構成されていることを特徴とする。
【００１１】
請求項４に記載の発明は、請求項３に記載の後処理装置において、
前記反転経路は、前記用紙をパージするためのパージ経路を兼ねることを特徴とする。
【００１２】
請求項５に記載の発明は、請求項３又は４に記載の後処理装置において、
前記反転経路は、
定型サイズまでの前記用紙を反転するための定型反転経路と、
前記定型サイズを超える長尺サイズの前記用紙を反転するための長尺反転経路と、
を備えることを特徴とする。
【００１３】
請求項６に記載の発明は、請求項３〜５のいずれか一項に記載の後処理装置において、
前記反転経路は、経路内に屈曲経路を有する場合、前記後処理ユニットと前記屈曲経路との間に直線経路が配置されることを特徴とする。
【００１４】
請求項７に記載の発明は、請求項６に記載の後処理装置において、
前記直線経路には、前記用紙の上下動を規制する押さえ部材が配置されることを特徴とする。
【００１５】
請求項８に記載の発明は、請求項３〜７のいずれか一項に記載の後処理装置において、
前記反転経路を介して前記用紙のページ合わせを行う制御部を備えることを特徴とする。
【００１６】
請求項９に記載の発明は、請求項１〜８のいずれか一項に記載の後処理装置において、
前記スペース経路は、前記用紙をパージするためのパージ経路で構成されていることを特徴とする。
【００１７】
請求項１０に記載の発明は、請求項１〜９のいずれか一項に記載の後処理装置において、
前記スペース経路は、前記用紙を迂回するための迂回経路で構成されていることを特徴とする。
【００１８】
請求項１１に記載の発明は、請求項１〜１０のいずれか一項に記載の後処理装置において、
前記スペース経路は、前記後処理ユニットが装置本体内の上流側にある場合、前記後処理ユニットよりも上流側に配置されることを特徴とする。
【００１９】
請求項１２に記載の発明は、請求項１〜１１のいずれか一項に記載の後処理装置において、
前記スペース経路は、前記後処理ユニットが装置本体内の下流側にある場合、前記後処理ユニットよりも下流側に配置されることを特徴とする。
【００２０】
請求項１３に記載の発明は、請求項１〜１２のいずれか一項に記載の後処理装置において、
前記後処理ユニットは、ＣＤ断裁ユニットを含み、
前記ＣＤ断裁ユニットにより前記用紙が前記ＣＤ断裁ユニットの下流側に配置された搬送ローラー間の長さよりも短いＦＤ長に断裁される場合に、排紙先を専用トレイに切り替える切替部を備えることを特徴とする。
【００２１】
請求項１４に記載の発明は、
画像形成装置において、
用紙に画像を形成する画像形成部と、
前記画像形成部により前記画像が形成された用紙に後処理を行う請求項１〜１３のいずれか一項に記載の後処理装置と、
を備えることを特徴とする。
【発明の効果】
【００２２】
本発明によれば、インラインで後処理可能な後処理装置において、上下流の装置に影響を及ぼすことなく、後処理を行うことができる。
【図面の簡単な説明】
【００２３】
【図１】本実施形態に係る画像形成装置の概略構成を示す図である。
【図２】本実施形態に係る画像形成装置の制御構造を示す機能ブロック図である。
【図３】後処理ユニットの下流側に反転経路が配置された構成を示す図である。
【図４】後処理ユニットの下流側に迂回経路が配置された構成を示す図である。
【図５】後処理ユニットの下流側にパージ経路が配置された構成を示す図である。
【図６】後処理ユニットと屈曲経路との間に直線経路が配置された構成を示す図である。
【図７】排紙先を専用トレイに切り替える切替ゲートが配置された構成を示す図である。
【図８】従来技術に係るオフラインの後処理装置において、機外に用紙の一部が出た状態で後処理が行われる様子の一例を示す図である。
【図９】従来技術に係るインラインの後処理装置において、下流の装置に用紙が跨っている様子の一例を示す図である。
【発明を実施するための形態】
【００２４】
以下、本発明の実施の形態について、図面を参照して詳細に説明する。
【００２５】
本実施形態に係る画像形成装置１は、図１及び図２に示すように、画像形成装置本体１００と、リレーユニットＲＵと、後処理装置２００と、フィニッシャーＦＳと、を備えて構成されている。本実施形態では、後処理装置２００が本発明の「後処理装置」であり、リレーユニットＲＵ及びフィニッシャーＦＳが本発明の「他の後処理装置」である。
【００２６】
画像形成装置本体１００は、原稿から画像を読み取って得られた画像データ、又は、外部装置から受信した画像データに基づいて、電子写真方式によりカラー画像を形成する。
画像形成装置本体１００は、図１及び図２に示すように、操作部１１と、表示部１２と、原稿読取ユニット１３と、画像形成部１４と、給紙部１５と、画像形成制御部１６と、記憶部１７と、コントローラーＩＦ（Inter Face）１８と、画像処理部１９と、を備えて構成されている。
【００２７】
操作部１１は、表示部１２の表示画面上を覆うように形成されたタッチパネルや、数字ボタン、スタートボタン等の各種操作ボタンを備え、ユーザーの操作に基づく操作信号を画像形成制御部１６に出力する。
【００２８】
表示部１２は、ＬＣＤ（Liquid Crystal Display）により構成され、画像形成制御部１６から入力される表示信号の指示に従って各種画面を表示する。
【００２９】
原稿読取ユニット１３は、ＡＤＦ（自動原稿給紙装置）、スキャナー等を備え、原稿の画像を読み取って得られた画像データを画像形成制御部１６に出力する。
【００３０】
画像形成部１４は、画像処理部１９により画像処理が行われた画像データに基づいて、給紙部１５から供給された用紙上に画像を形成する。
画像形成部１４は、イエロー（Ｙ）、マゼンタ（Ｍ）、シアン（Ｃ）、ブラック（Ｋ）の各色に対応する感光体ドラム１４１Ｙ，１４１Ｍ，１４１Ｃ，１４１Ｋ、中間転写ベルト１４２、２次転写ローラー１４３、定着部１４４、濃度センサー１４５等を備えて構成されている。
【００３１】
感光体ドラム１４１Ｙは、一様に帯電された後、イエロー色の画像データに基づいてレーザービームにより走査露光され、静電潜像が形成される。そして、感光体ドラム１４１Ｙ上の静電潜像にイエロー色のトナーが付着され、現像が行われる。
感光体ドラム１４１Ｍ，１４１Ｃ，１４１Ｋについても、扱う色が異なることを除いて、感光体ドラム１４１Ｙと同様であるため、説明を省略する。
【００３２】
感光体ドラム１４１Ｙ，１４１Ｍ，１４１Ｃ，１４１Ｋ上に形成された各色のトナー像は、回転する中間転写ベルト１４２上に逐次転写される（１次転写）。すなわち、中間転写ベルト１４２上には、４色のトナー像が重ね合わされたカラートナー像が形成される。
中間転写ベルト１４２上のカラートナー像は、２次転写ローラー１４３により、用紙上に一括して転写される（２次転写）。
【００３３】
定着部１４４は、カラートナー像が転写された用紙を加熱する加熱ローラー、当該用紙を加圧する加圧ローラーを備え、加熱・加圧によりカラートナー像を用紙に定着させる。
【００３４】
給紙部１５は、給紙トレイＴ１１〜Ｔ１３を備え、画像形成部１４に用紙を供給する。各給紙トレイＴ１１〜Ｔ１３には、給紙トレイごとに予め定められた紙種やサイズの用紙が収納されている。
【００３５】
画像形成制御部１６は、ＣＰＵ、ＲＯＭ、メモリーを備えて構成される。
ＣＰＵは、ＲＯＭに記憶されている各種処理プログラムを読み出し、当該プログラムに従って、画像形成装置本体１００の各部の動作を集中制御する。また、ＣＰＵは、出力された用紙に対して後処理を行う場合には、後処理装置２００に所定の後処理を実行する指示を出す。
ＲＯＭは、不揮発性の半導体メモリー等により構成され、各種処理プログラム、当該プログラムの実行に必要なパラメーターやファイル等を記憶している。
メモリーは、ＤＲＡＭ（Dynamic Random Access Memory）等により構成され、プログラムや各種画像処理に係る画像データ等の各種データを一時的に記憶する。
【００３６】
記憶部１７は、プログラムや画像データ等の各種データを記憶するＨＤＤ（Hard Disk Drive）、半導体メモリー等の不揮発性の記憶装置である。記憶部１７には、プログラムデータや各種設定データ等のデータを画像形成制御部１６から読み書き可能に記憶する。
【００３７】
コントローラーＩＦ１８は、外部装置から入力される画像データを受信する。
【００３８】
画像処理部１９は、記憶部１７に記憶された画像データ、原稿読取ユニット１３により原稿から画像を読み取って得られた画像データ、外部装置から入力された画像データに必要な画像処理を行い、画像処理後の画像データを画像形成部１４に送信する。画像処理には、階調処理、中間調処理、色変換処理等が含まれる。階調処理は、画像データの各画素の階調値を、用紙上に形成された画像の濃度特性が目標の濃度特性と一致するように補正された階調値に変換する処理である。中間調処理は、誤差拡散処理、組織的ディザ法を用いたスクリーン処理等である。色変換処理は、ＲＧＢの各階調値をＣＭＹＫの各階調値に変換する処理である。
【００３９】
リレーユニットＲＵは、画像形成装置本体１００と後処理装置２００との間に設置され、画像形成装置本体１００から搬送されてくる用紙の搬送スピードと同期をとる機能を備える。
【００４０】
後処理装置２００は、リレーユニットＲＵから出力された用紙に、必要に応じて後処理を行う装置である。後処理としては、例えば、スリッター処理、ドブスリッター処理、ＣＤ断裁処理、クリース処理、ＦＤ／ＣＤミシン処理等が挙げられる。後処理は必須ではなく、後処理装置２００は、画像形成装置本体１００から指示された場合のみ実行する。後処理がない場合、後処理装置２００は搬送された用紙をそのままフィニッシャーＦＳに搬送する。
【００４１】
後処理装置２００は、図１及び図２に示すように、搬送部２１０と、後処理モジュール（後処理ユニット）Ｍ１〜Ｍ４と、後処理装置２００からパージする用紙を排紙するパージトレイＴ１と、後処理装置２００で名刺／カードのサイズに断裁された用紙を排紙するカードトレイＴ２と、後処理制御部２２０と、を備えて構成されている。
【００４２】
搬送部２１０は、リレーユニットＲＵから搬送された用紙を後処理モジュールＭ１〜Ｍ４に搬送し、後処理モジュールＭ１〜Ｍ４で後処理が行われた用紙を各種トレイ（パージトレイＴ１、カードトレイＴ２）又はフィニッシャーＦＳに搬送する。
【００４３】
搬送部２１０は、後処理モジュールＭ１に搬送する用紙の曲がりを補正する曲がり補正機能を有するストレート搬送経路２１１と、後処理モジュールＭ１に搬送する長尺紙を迂回させてＣＤ方向（用紙幅方向）の整合を行うＣＤ整合機能を有する長尺ユニット２１２と、後処理モジュールＭ１〜Ｍ４による後処理後に用紙（定型サイズまでの用紙）を反転してフィニッシャーＦＳに排紙する反転排紙経路２１３と、用紙をパージトレイＴ１に排紙する排紙経路と用紙（定型サイズまでの用紙）を反転する反転経路とを兼ねる兼用経路２１４と、後処理モジュールＭ１〜Ｍ４による後処理後に長尺紙を反転する反転経路としての長尺ユニット２１５と、を備えて構成されている。
【００４４】
すなわち、反転排紙経路２１３、兼用経路２１４及び長尺ユニット２１５は、後処理モジュールＭ１〜Ｍ４の上流又は下流に配置され、用紙を収容可能な本発明のスペース経路として機能する。本実施形態では、後処理ユニット（ここでは特に後処理モジュールＭ４）が装置本体内の下流側にあるため、上記の各スペース経路（反転排紙経路２１３、兼用経路２１４及び長尺ユニット２１５）は、後処理モジュールＭ４よりも下流側に配置されている。
また、反転排紙経路２１３、兼用経路２１４及び長尺ユニット２１５は、用紙を反転するための本発明の反転経路として機能する。
また、兼用経路２１４は、用紙をパージするための本発明のパージ経路として機能する。
【００４５】
また、反転排紙経路２１３及び兼用経路２１４は、定型サイズまでの用紙を反転するための定型反転経路として機能する。
また、長尺ユニット２１５は、定型サイズを超える長尺サイズの用紙を反転するための長尺反転経路として機能する。
【００４６】
後処理モジュールＭ１〜Ｍ４は、搬送されてきた用紙に後処理を行う。後処理モジュールＭ１〜Ｍ４は、用紙の一部がスペース経路（反転排紙経路２１３、兼用経路２１４又は長尺ユニット２１５）内に収容された状態で、後処理を行う。
本実施形態において、最上流の後処理モジュールＭ１は、天地スリッターであり、最下流の後処理モジュールＭ４は、ＣＤ断裁用のＣＤカッター（ＣＤ断裁ユニット）である。後処理モジュールＭ２、Ｍ３は、サービスマンにより手動で選択可能であり、例えば、用紙をＣＤ方向（用紙幅方向）中央部で断裁（ドブ断ち）するためのドブ断ちスリッター、用紙にクリース（筋付）処理を行うためのクリーサー（下凸）又はクリーサー（上凸）、用紙にミシン目を付けるＦＤ／ＣＤミシン処理を行うためのＦＤミシン目又はＣＤミシン目、のいずれかのユニットから選択される。
【００４７】
後処理制御部２２０は、ＣＰＵ、ＲＯＭ、メモリーを備えて構成される。
ＣＰＵは、ＲＯＭに記憶されている各種処理プログラムを読み出し、当該プログラムに従って、後処理装置２００の各部の動作を集中制御する。
例えば、ＣＰＵは、画像形成装置本体１００の画像形成制御部１６と情報の伝達を行う。また、ＣＰＵは、反転経路（反転排紙経路２１３、兼用経路２１４及び長尺ユニット２１５）を介して用紙のページ合わせを行う本発明の制御部として機能する。具体的には、ＣＰＵは、用紙の反転に伴うページ順の入れ替わりを補正する指示を画像形成装置本体１００の画像形成制御部１６に送信し、画像形成制御部１６によるページ順の補正制御を行わせることで、用紙のページ合わせを行う。
【００４８】
フィニッシャーＦＳは、画像形成後の用紙に対して、ホチキス留めや紙折り、穴あけ等を行う機能を備えている。
【００４９】
以上のように、本実施形態に係る画像形成装置１の後処理装置２００は、搬送される用紙に後処理を行う後処理ユニット（後処理モジュールＭ１〜Ｍ４）と、後処理ユニットの上流又は下流に配置され、用紙を収容可能なスペース経路（反転排紙経路２１３、兼用経路２１４及び長尺ユニット２１５）と、を備える。また、後処理ユニットは、用紙の一部がスペース経路内に収容された状態で、後処理を行う。
したがって、本実施形態に係る後処理装置２００によれば、後処理のための搬送停止時にインラインで接続される他の装置（画像形成装置本体１００、他の後処理装置（リレーユニットＲＵ及びフィニッシャーＦＳ））の搬送動作を停止させる（搬送を制御する）必要がなくなるため、上下流の装置に影響を及ぼすことなく、後処理を行うことができる。
【００５０】
また、本実施形態に係る後処理装置２００によれば、後処理ユニットは、スリッター処理、ドブスリッター処理、ＣＤ断裁処理、クリース処理、ＦＤ／ＣＤミシン処理のいずれかの後処理を行う。
したがって、本実施形態に係る後処理装置２００によれば、上下流の装置に影響を及ぼすことなく、様々な後処理を行うことができる。特に、用紙の搬送を停止して行う処理（例えばＣＤ断裁、クリース、ＣＤミシン）の場合に、より効果的である。
【００５１】
また、本実施形態に係る後処理装置２００によれば、スペース経路は、用紙を反転するための反転経路（反転排紙経路２１３、兼用経路２１４及び長尺ユニット２１５）で構成されている
したがって、本実施形態に係る後処理装置２００によれば、機械幅を狭くすることができるので、装置の大型化を抑制することができる。また、インラインの後処理装置２００であることから、画像形成装置本体１００による制御によりページ順を補正することができるため、反転時にページが入れ替わる反転経路を用いても、ページ順を正しく補正することができる。
【００５２】
また、本実施形態に係る後処理装置２００によれば、反転経路は、用紙をパージするためのパージ経路（兼用経路２１４）を兼ねる。
したがって、本実施形態に係る後処理装置２００によれば、他の経路（パージ経路）と同じ経路を流用することで反転経路のスペースを更に簡略化して機械幅を狭くすることができるので、装置の大型化を更に抑制することができる。
【００５３】
また、本実施形態に係る後処理装置２００によれば、反転経路は、定型サイズまでの用紙を反転するための定型反転経路（反転排紙経路２１３及び兼用経路２１４）と、定型サイズを超える長尺サイズの用紙を反転するための長尺反転経路（長尺ユニット２１５）と、を備える。
したがって、本実施形態に係る後処理装置２００によれば、用紙長の長い長尺紙を通紙する長尺反転経路を、定型紙を通紙する定型反転経路と分けることで、長尺反転経路の搬送ローラー間の長さ（ピッチ）を広くすることができるので、装置構成を簡略化することができる。また、用紙のサイズに拠らず、反転時に用紙の一部を機外に出すことがないため、用紙反転時の用紙の損傷を防止することができる。
【００５４】
また、本実施形態に係る後処理装置２００によれば、反転経路を介して用紙のページ合わせを行う制御部（後処理制御部２２０）を備える。
したがって、本実施形態に係る後処理装置２００によれば、用紙の反転に伴うページ順の入れ替わりを補正する指示を画像形成装置本体１００の画像形成制御部１６に送信し、画像形成制御部１６によるページ順の補正制御を行わせることができるので、反転時にページが入れ替わる反転経路を用いても、ページ順を正しく補正することができる。
【００５５】
また、本実施形態に係る後処理装置２００によれば、スペース経路は、用紙をパージするためのパージ経路（兼用経路２１４）で構成されている。
したがって、本実施形態に係る後処理装置２００によれば、機械幅を狭くすることができるので、装置の大型化を抑制することができる。
【００５６】
また、本実施形態に係る後処理装置２００によれば、スペース経路は、後処理ユニットが装置本体内の下流側にある場合、後処理ユニットよりも下流側に配置される。
したがって、本実施形態に係る後処理装置２００によれば、機械幅を狭くすることができるので、装置の大型化を抑制することができる。また、後処理のための搬送停止時にインラインで接続される他の装置（画像形成装置本体１００、他の後処理装置（リレーユニットＲＵ及びフィニッシャーＦＳ））の搬送動作を停止させる（搬送を制御する）必要がなくなるため、上下流の装置に影響を及ぼすことなく、後処理を行うことができる。
【００５７】
以上、本発明に係る実施形態に基づいて具体的に説明したが、本発明は上記実施形態に限定されるものではなく、その要旨を逸脱しない範囲で変更可能である。
【００５８】
例えば、上記実施形態では、本発明の後処理装置２００が、本発明の「他の後処理装置」であるリレーユニットＲＵ及びフィニッシャーＦＳと接続された構成を例示して説明しているが、これに限定されるものではない。例えば、後処理装置２００が、リレーユニットＲＵのみと接続される構成であってもよいし、後処理装置２００が、画像形成装置本体１００及びフィニッシャーＦＳと接続される構成であってもよい。また、後処理装置２００が、画像形成装置本体１００のみと接続される構成であってもよい。
【００５９】
また、上記実施形態では、本発明のスペース経路として、反転排紙経路２１３、兼用経路２１４及び長尺ユニット２１５を例示して説明しているが、これに限定されるものではない。
例えば、図３に示すように、スペース経路として、反転経路２１６のみを備える構成としてもよい。
また、図４に示すように、スペース経路として、用紙を迂回するための迂回経路２１７のみを備える構成としてもよい。上記のように、スペース経路を、用紙を迂回するための迂回経路２１７で構成することで、機械幅を狭くすることができるので、装置の大型化を抑制することができる。
また、図５に示すように、スペース経路として、パージ経路２１８のみを備える構成としてもよい。
【００６０】
また、図６に示すように、スペース経路としての反転経路２１６内に、屈曲経路２１６ａを有する場合、後処理ユニット（後処理モジュールＭ４）と屈曲経路２１６ａとの間に、直線経路２１６ｂを配置するようにしてもよい。
このとき、図６に示すように、直線経路２１６ｂに、用紙の上下動を規制する押さえ部材（図中では２対の搬送ローラー）Ｒ１を配置するようにしてもよい。なお、押さえ部材Ｒ１としては、少なくとも用紙のばたつきを押さえることが可能な一以上の部材であれば、いかなる部材であってもよい。
上記のように、反転経路２１６を、経路内に屈曲経路２１６ａを有する場合、後処理ユニットと屈曲経路２１６ａとの間に直線経路２１６ｂを配置することで、用紙のばたつきを押さえて姿勢を安定させることができるので、後処理の精度を確保することができる。
また、直線経路２１６ｂに、用紙の上下動を規制する押さえ部材Ｒ１を配置することで、より確実に用紙姿勢を安定させることができるので、後処理の精度を向上させることができる。
【００６１】
また、上記実施形態では、後処理ユニット（後処理モジュールＭ４）が装置本体内の下流側にあるため、スペース経路（反転排紙経路２１３、兼用経路２１４及び長尺ユニット２１５）を、後処理モジュールＭ４よりも下流側に配置するようにしているが、これに限定されるものではない。例えば、後処理ユニットが装置本体内の上流側にある場合、スペース経路を、後処理ユニットよりも上流側に配置するようにしてもよい。
上記のように、後処理ユニットが装置本体内の上流側にある場合、スペース経路を後処理ユニットよりも上流側に配置することで、機械幅を狭くすることができるので、装置の大型化を抑制することができる。また、後処理のための搬送停止時にインラインで接続される他の装置（画像形成装置本体１００、他の後処理装置（リレーユニットＲＵ及びフィニッシャーＦＳ））の搬送動作を停止させる（搬送を制御する）必要がなくなるため、上下流の装置に影響を及ぼすことなく、後処理を行うことができる。
【００６２】
また、例えば、長尺紙の先端をＣＤ断裁する場合、ＣＤ断裁ユニットの上流側にスペース経路を設けることが好ましい。したがって、後処理ユニットが装置本体内の下流側にある場合であっても、スペース経路を、後処理ユニットよりも上流側に配置するようにしてもよい。同様に、後処理ユニットが装置本体内の上流側にある場合であっても、スペース経路を、後処理ユニットよりも下流側に配置するようにしてもよい。
【００６３】
また、図７に示すように、ＣＤ断裁ユニット（後処理モジュールＭ４）により用紙がＣＤ断裁ユニットの下流側に配置された搬送ローラー間の長さ（ピッチ）よりも短いＦＤ長に断裁される場合に、排紙先を専用トレイ（カードトレイＴ２）に切り替える切替ゲート（切替部）Ｇ１を備えるようにしてもよい。
上記のように、ＣＤ断裁ユニットにより用紙がＣＤ断裁ユニットの下流側に配置された搬送ローラー間の長さよりも短いＦＤ長に断裁される場合に、排紙先を専用トレイ（カードトレイＴ２）に切り替える切替ゲート（切替部）Ｇ１を備えることで、短いＦＤ長の用紙に合わせて搬送ローラーを密に配置する必要がなくなるので、装置構成を簡略化することができる。
【００６４】
その他、画像形成装置を構成する各装置の細部構成及び各装置の細部動作に関しても、本発明の趣旨を逸脱することのない範囲で適宜変更可能である。
【符号の説明】
【００６５】
１  画像形成装置
１００  画像形成装置本体
１１  操作部
１２  表示部
１３  原稿読取ユニット
１４  画像形成部
１５  給紙部
１６  画像形成制御部
１７  記憶部
１８  コントローラーＩＦ
１９  画像処理部
２００  後処理装置
２１０  搬送部
２１１  ストレート搬送経路
２１２  長尺ユニット
２１３  反転排紙経路（スペース経路、反転経路、定型反転経路）
２１４  兼用経路（スペース経路、反転経路、パージ経路、定型反転経路）
２１５  長尺ユニット（スペース経路、反転経路、長尺反転経路）
２１６  反転経路
２１６ａ  屈曲経路
２１６ｂ  直線経路
２１７  迂回経路
２１８  パージ経路
２２０  後処理制御部（制御部）
Ｍ１〜Ｍ４  後処理モジュール
Ｔ１  パージトレイ
Ｔ２  カードトレイ
Ｒ１  押さえ部材
Ｇ１  切替ゲート（切替部）
ＲＵ  リレーユニット
ＦＳ  フィニッシャー
【図１】
2020071385.tif 000003
【図２】
2020071385.tif 000004
【図３】
2020071385.tif 000005
【図４】
2020071385.tif 000006
【図５】
2020071385.tif 000007
【図６】
2020071385.tif 000008
【図７】
2020071385.tif 000009
【図８】
2020071385.tif 000010
【図９】
2020071385.tif 000011